(57)【要約】    【課題】簡単な構造で、容易に被服等が確実に掛け止めされうるファスナー２の提供。    【解決手段】本発明の一実施形態に係るファスナー２は、一対の留め具４及び６で構成されている。一方の留め具４の形状と他方の留め具６の形状とは、同一である。留め具４及び６は、差し込み部８及び３４とソケット部１０及び３０とを備える。ソケット部１０及び３０は、１枚のベース１６と、その端に起立する２枚の側壁１８と、その側壁１８からソケット部１０及び３０の中央に向かって伸びる庇部２０とを備える。一方の留め具４の差し込み部８が他方の留め具６のソケット部３０に挿入され、他方の留め具６の差し込み部３４が一方の留め具４のソケット部１０に挿入されうるよう構成される。このファスナー２の使用により、誰でも容易に被服等を確実に掛け止めできる。【選択図】図１
2006081777.tif 000002
【特許請求の範囲】
【請求項１】
一対の留め具で構成され、
この留め具は、差し込み部とソケット部とを備えており、
一方の留め具の差し込み部が他方の留め具のソケット部に挿入され、他方の留め具の差し込み部が一方の留め具のソケット部に挿入されうるように構成されているファスナー。
【請求項２】
上記ソケット部が、１枚のベースとこのベースの端に起立する２枚の側壁とこの側壁からソケット部の中心に向かって伸びる庇部とを備えている請求項１に記載のファスナー。
【請求項３】
上記留め具の差し込み部とソケット部の間に、取り付け部を備えている請求項１又は２に記載のファスナー。
【請求項４】
上記取り付け部が、留め具固定のために巻き付けられる糸によって、凸部が形成されうるように構成されている請求項３に記載のファスナー。
【請求項５】
上記取り付け部が、留め具の幅方向に形成される切り欠き又はこの幅方向に配列される２以上の貫通孔である請求項３又は４に記載のファスナー。
【発明の詳細な説明】
【技術分野】
【０００１】
本発明は、掛け外しが容易にできるファスナーに関する。特に被服、袋、アウトドアグッズ等に使用されるファスナーに関する。
【背景技術】
【０００２】
被服等に用いられる従来の一般的な止め方は、被服に糸で縫いつけられたボタンをボタン穴に挿通することによっている。また、閉鎖して止める場合は、帯状のスライドファスナーが用いられている。
【発明の開示】
【発明が解決しようとする課題】
【０００３】
老齢者や手の不自由な人にとっては、ボタン穴にボタンを挿通することや、スライドファスナーの溝にファスナーを噛み込ませることは容易ではない。本発明は、このような事情に鑑みてなされたものであり、簡単な構造で、誰でも容易に被服等を確実に掛け止めることができるファスナーの提供を目的とする。
【課題を解決するための手段】
【０００４】
本発明に係るファスナーは、一対の留め具で構成される。この留め具は、差し込み部とソケット部とを備える。一方の留め具の差し込み部が他方の留め具のソケット部に挿入され、他方の留め具の差し込み部が一方の留め具のソケット部に挿入される。
【０００５】
好ましくは、上記ソケット部は、１枚のベースとこのベースの端に起立する２枚の側壁とこの側壁からソケット部の中心に向かって伸びる庇部とをさらに備える。
【０００６】
好ましくは、ファスナーは、上記留め具の差し込み部とソケット部の間に取り付け部を備える。
【０００７】
好ましくは、上記取り付け部は、留め具固定のために巻き付けられる糸によって凸部が形成されうるように構成されている。
【０００８】
好ましくは、上記取り付け部は、留め具の幅方向に形成される切り欠きまたはこの幅方向に配列される２以上の貫通孔である。
【発明の効果】
【０００９】
このファスナーは簡単な構造である。このファスナーが用いられることにより、老齢者や手の不自由な人が、容易に被服等を確実に掛け止めることができる。
【発明を実施するための最良の形態】
【００１０】
以下、適宜図面が参照されつつ、好ましい実施形態に基づいて本発明が詳細に説明される。
【００１１】
図１は、本発明の一実施形態に係るファスナー２が示された斜視図である。このファスナー２は、一対の留め具４及び６で構成されている。一方の留め具４の形状と他方の留め具６の形状とは、同一である。ファスナー２の材質は金属又はプラスチックが、機能面及びコスト面から好ましい。
【００１２】
図２（ａ）は図１のファスナー２の構成要素である留め具４が示された正面図であり、図２（ｂ）はその底面図であり、図２（ｃ）はその側面図である。この留め具４は、差し込み部８とソケット部１０と取り付け部１２とを備えている。この差し込み部８とソケット部１０と取り付け部１２とは、一体化している。このファスナー２の構造は簡単である。
【００１３】
上記差し込み部８は、人への安全性及び留め具４の挿入性の観点から、面取りされた角１４を備えている。上記ソケット部１０は、１枚のベース１６とこのベース１６の端に起立する２枚の側壁１８とその側壁１８からソケット部１０中央に向かって伸びる庇部２０とを備えている。差し込み部８の幅Ｗ１は、ソケット部１０の内幅Ｗ２よりも小さい。差し込み部８の厚みＴは、ソケット部１０の側壁１８の高さＨよりも小さい。
【００１４】
上記取り付け部１２は、差し込み部８とソケット部１０の間にある。この取り付け部１２で、留め具４が衣服に取り付けられる。留め具４の衣服への取り付け方法として、糸による縫いつけ又は接着等があるが、取り付けやすさの観点から、糸による縫いつけが好ましい。糸による縫いつけのしやすさから、この取り付け部１２は、留め具４の幅方向に形成される切り欠き２２を備えている。
【００１５】
図３は、上記ファスナー２が用いられてシャツ２４が掛け止めされている様子が示された正面図である。図４は、図３のＡ−Ａに沿った断面図である。一方の留め具４は、左前身頃２６の表面に、差し込み部８が上側になるように取り付けられている。他方の留め具６は、右前身頃２８の裏面に、ソケット部３０が上側になるように取り付けられている。取り付けには、糸３２が用いられている。この糸３２は、前身頃の裏面から一方の切り欠きを通過した後、前身頃の表面から他方の切り欠きを通過し、前身頃の裏面に戻る。これが繰り返されて、留め具４及び６は前身頃に取り付けられる。糸３２が通過する取り付け部は切り欠きが存在するため、留め具４及び６の中で最も幅の狭い箇所になっている。この取り付け部を介して、留め具４及び６が糸３２で前身頃に取り付けられると、留め具４及び６は容易にその位置を変えることはできない。留め具４及び６は前身頃にしっかりと取り付けられる。
【００１６】
ファスナー２は、一方の留め具４の差し込み部８が他方の留め具６のソケット部３０に挿入され、他方の留め具６の差し込み部３４が一方の留め具４のソケット部１０に挿入されうるように構成されている。前述のように、差し込み部８及び３４の幅Ｗ１がソケット部１０及び３０の内幅Ｗ２よりも小さく、差し込み部８及び３４の厚みＴがソケット部１０及び３０の側壁高さＨよりも小さいので、右前身頃２８と左前身頃２６とが合わされて、留め具４及び６が上下されるだけの操作で、ファスナー２は、容易にシャツ２４を掛け止めすることができる。
【００１７】
差し込み部８及び３４は、ソケット部１０及び３０の側壁に沿って挿入されているので、ソケット部１０及び３０の側壁に沿わない外力で、ファスナー２が外れることはない。前述のように、差し込み部８及び３４の角が面取されているので、ファスナー２が人の手を傷つけることもない。
【００１８】
一方の留め具４の取り付け部には、シャツ２４の左前身頃２６との固定のために巻き付けられる糸３２によって、凸部３６が形成されている。他方の留め具６の取り付け部には、シャツ２４の右前身頃２８との固定のために巻き付けられる糸３２によって、凸部４０が形成されている。この凸部３６及び４０は高さを有しているので、凸部３６及び４０は掛け止めされている互いの留め具４及び６の引っ掛かりとして作用する。シャツ２４が掛け止められているファスナー２の留め具４及び６は、不用意に抜けることはない。凸部３６及び４０の高さが高くなると、一方の差し込み部８が他方のソケット部３０に挿入できなくなる。他方の差し込み部３４が一方のソケット部１０に挿入できなくなる。凸部３６及び４０の高さは、２ｍｍ以下であればよいが、この挿入性の観点から、１ｍｍ以下であるのが好ましい。さらに凸部３６及び４０の高さは、０．１ｍｍ以上あればよいが、この凸部３６及び４０が、留め具４及び６の不用意な抜けを防ぐための引っ掛かりとして作用するために、０．３ｍｍ以上あるのが好ましい。
【００１９】
このファスナー２によるシャツ２４の掛け止めは、簡単である。この凸部３６及び４０による引っ掛かりが外れる程度の力で、シャツ２４の右前身頃２８を下に、シャツ２４の左前身頃２６を上に操作すれば、簡単にシャツ２４が掛け止めされる。このファスナー２によるシャツ２４の掛け止めの解除も、簡単である。この凸部３６及び４０による引っ掛かりが外れる程度の力で、シャツ２４の右前身頃２８を上に、シャツ２４の左前身頃２６を下に操作すれば、簡単に掛け止めが解除される。
【００２０】
留め具４及び６は簡単に製造できる。まず、金属性の板材から予備成型品が刃型で打ち抜かれる。次いでこの予備成型品に曲げ加工が施され、ソケット部１０及び３０が形成され、製品が完成する。ファスナー２の材質がプラスチックであれば、この留め具４及び６は射出成形で製造される。
【００２１】
図５は、本発明の他の実施形態に係るファスナーの構成要素である留め具４２が示された平面図である。この留め具４２は、差し込み部４６とソケット部４８と取り付け部５０とを備えている。この取り付け部５０は、留め具４２の幅方向に配列する２の貫通孔５２を備えている。この留め具４２は、貫通孔５２に糸が通されて、衣服に固定される。この留め具４２で構成されるファスナーも、構造は簡単であり、衣服を容易に掛け止めできる。
【産業上の利用可能性】
【００２２】
本発明に係るファスナーは、構造が簡単であり、従来のボタン等に比べて、手や指の不自由な人でも容易に衣類等の掛け止めがされうる。
【図面の簡単な説明】
【００２３】
【図１】図１は、本発明の一実施形態に係るファスナーが示された斜視図である。
【図２】図２（ａ）は図１のファスナーの構成要素である留め具が示された正面図であり、図２（ｂ）はその底面図であり、図２（ｃ）はその側面図である。
【図３】図３は、図１のファスナーが用いられて掛け止めがなされている様子が示された正面図である。
【図４】図４は、図３のＡ−Ａに沿った断面図である。
【図５】図５は、本発明の他の実施形態に係るファスナーの構成要素である留め具が示された平面図である。
【符号の説明】
【００２４】
２・・・ファスナー
４、６、４２・・・留め具
８、３４、４６・・・差し込み部
１０、３０、４８・・・ソケット部
１２、３８、５０・・・取り付け部
１４・・・角
１６・・・ベース
１８・・・側壁
２０・・・庇部
２２・・・切り欠き
２４・・・シャツ
２６・・・左前身頃
２８・・・右前身頃
３２・・・糸
３６、４０・・・凸部
５２・・・貫通孔
【図１】
2006081777.tif 000003
【図２】
2006081777.tif 000004
【図３】
2006081777.tif 000005
【図４】
2006081777.tif 000006
【図５】
2006081777.tif 000007